(57)【要約】【課題】押し部を指で押すだけの簡単な操作により、ワンタッチで包装用箱を扁平に畳むことができる易廃棄機能付包装用箱を提供する。【解決手段】一枚のブランクシートから一体的に打ち抜かれた箱体形成片１２から成り、箱体形成片１２は互いに連接された側面１４，１６，１８，２０を有する。側面１８は切込線４２を備える。切込線４２は、側面１８の中心を通過し一対の側縁部の間に位置する中心線に対して僅かに傾斜する中線部４２ａを有する。中線部４２ａの一対の端部に二股状に連続し、この端部の近傍の側面１８の一対の角部のうち、中線部４２の傾斜により近い位置の一方の角部に向かって延出した短支線部４２ｂと、離れている他方の角部に向かって延出した長支線部４２ｃを備える。【選択図】図１
2010030614.tif 000002
【特許請求の範囲】
【請求項１】
一枚のブランクシートから一体的に打ち抜かれた箱体形成片から成り、この箱体形成片には互いに連接された側面が設けられ、前記側面の１つには切込線が設けられ、前記切込線は前記側面の中心を通過し前記側面の一対の側縁部の間に位置する中心線に対して僅かに傾斜する中線部と、前記中線部の一対の端部に二股状に連続しこの端部の近傍の前記側面の一対の角部のうち、前記中線部の傾斜により近い位置の一方の角部に向かって延出した短支線部と、離れた他方の角部に向かって延出した長支線部が各々設けられ、前記中線部と前記長支線部で挟まれた角部は押し部となり、前記押し部を押すと前記中線部と前記長支線部及び短支線部が破れて折り畳まれることを特徴とする易廃棄機能付包装用箱。
【請求項２】
前記短支線部と前記中線部が交差する部分は、前記短支線部の端部から前記中線部に交差する方向に湾曲しさらに前記中線部に連続するように反対方向に湾曲する切断線により形成され、前記長支線部は前記切断線の、前記中線部に近い湾曲部分に繋がって連続し、前記押し部を押すと前記中線部と前記長支線部の交点から切断が始まり、続いて前記短支線部が破れることを特徴とする請求項１記載の易廃棄機能付包装用箱。
【請求項３】
前記短支線部と前記長支線部は、前記側面の角部の手前で止められ、角部との間が切り残されていることを特徴とする請求項１記載の易廃棄機能付包装用箱。
【発明の詳細な説明】
【技術分野】
【０００１】
この発明は、廃棄用の切込線が設けられている易廃棄機能付包装用箱に関する。
【背景技術】
【０００２】
従来、商品を収納する包装用箱に、使用が終わったときに折り畳んで破棄するための切込線が設けられた易廃棄機能付包装用箱があった。例えば、特許文献１の段ボール板製包装箱と特許文献２の段ボール箱は、底板に中央にＨ型の切り込み部が形成されるとともに、このＨ型の切り込みに向かって底板のコーナーに達しないようにジッパー状のカット線が形成されている。この段ボール板製包装箱と段ボール箱は、天板を開封し内容物を取り出した後、底板の切り込み部に指をかけてカット線を切断することにより、包装箱は上下が開かれた状態となり、４個の側面がつながった状態で包装箱を扁平状態にたたむことができる。
【特許文献１】特開２００７−２０４０５６号公報
【特許文献２】特開平１０−２９７６２６号公報
【発明の開示】
【発明が解決しようとする課題】
【０００３】
上記背景技術の場合、カット線を破る動作と箱体を扁平にたたむ動作の２工程が必要であり、廃棄動作に手間がかかるものであった。従って、大量の包装用箱を廃棄する場合等には、より簡単に、ワンタッチで包装用箱を扁平に畳むことができるものが求められている。
【０００４】
この発明は、上記背景技術の問題点に鑑みてなされたものであり、押し部を指で押すだけの簡単な操作によりワンタッチで包装用箱を扁平に畳むことができる易廃棄機能付包装用箱を提供することを目的とする。
【課題を解決するための手段】
【０００５】
本発明は、一枚のブランクシートから一体的に打ち抜かれた箱体形成片から成り、この箱体形成片には互いに連接された側面が設けられ、前記側面の１つには切込線が設けられている易廃棄機能付包装用箱であり、前記切込線は前記側面の中心を通過し前記側面の一対の側縁部の間に位置する中心線に対して僅かに傾斜する中線部と、前記中線部の一対の端部に二股状に連続しこの端部の近傍の前記側面の一対の角部のうち、前記中線部の傾斜により近い位置の一方の角部に向かって延出した短支線部と、離れた他方の角部に向かって延出した長支線部が各々設けられている易廃棄機能付包装用箱である。前記中線部と前記長支線部で挟まれた角部は押し部となり、前記押し部を押すと前記中線部と前記長支線部及び短支線部が破れて前記側面が分割され、ワンタッチで折り畳まれるものである。
【０００６】
また、前記短支線部と前記中線部が交差する部分は、前記短支線部の端部から前記中線部に交差する方向に湾曲しさらに前記中線部に連続するように反対方向に湾曲する切断線により形成され、前記長支線部は前記切断線の、前記中線部に近い湾曲部分に繋がって連続し、前記押し部を押すと前記中線部と前記長支線部の交点から切断が始まり、続いて前記短支線部が破れるものである。これにより、前記中線部と前記長支線部、前記短支線部を切断して側面を３個の角部に分割したとき、角部が曲線で形成されるため角部で手に怪我をする心配がなく安全なものである。
【０００７】
また、前記短支線部と前記長支線部は、前記側面の角部の手前で止められ、角部との間が切り残されている。前記切込線が設けられている前記側面は、組立状態で下方に位置する底部である。
【発明の効果】
【０００８】
本発明の易廃棄機能付包装用箱は、使用後に押し部を指で押すだけの簡単な操作によりワンタッチで折り畳むことができ、弱い力でも短時間で綺麗に畳むことができる。また、コンパクトに折り畳むことができ、廃棄処分や資源回収をする場合の搬送処理も容易に行うことができる。
【発明を実施するための最良の形態】
【０００９】
以下、この発明の実施形態について図面に基づいて説明する。図１〜図４はこの発明の一実施形態を示すもので、この実施形態の易廃棄機能付包装用箱１０は、紙製の一枚のブランクシートを打ち抜いて形成された箱体形成片１２を組み立てて設けられている。図３は箱体形成片１２を表面から見た展開図であり、箱体形成片１２は、側面１４，１６，１８，２０が、互いに平行に連接して形成されている。側面１４，１６，１８，２０は、連接している幅方向はほぼ同じ長さであり、連接方向の長さは側面１４，１８が長くて互いにほぼ等しく、側面１６，２０はそれよりも少し短くて互いにほぼ等しい。さらに、側面１４の側縁部には、易廃棄機能付包装用箱１０の組立状態で側面２０の表面に糊付けされる糊付片２２が設けられている。糊付片２２、側面１４，１６，１８，２０は、各々折罫線２４，２６，２８，３０で区切られている。折罫線２８，３０には、折り曲げやすいように破断線が設けられている。
【００１０】
糊付片２２には、糊付片２２の中心を通過して折罫線２４に対して平行に、一対の開封用切込線３２が設けられている。
【００１１】
側面１６の、側面どうしの連接方向に対して直角な方向の一端部には、易廃棄機能付包装用箱１０の組立状態で後述する端面４６の裏面に糊付けされる矩形の糊付片３４が折罫線３６で区切られて設けられている。側面１６の、折罫線３６と反対側の端部にも、易廃棄機能付包装用箱１０の組立状態で後述する端面５４の裏面に糊付けされる矩形の糊付片３８が折罫線４０で区切られて設けられている。
【００１２】
側面１８の、側面１６の折罫線３６に隣接する端部には、矩形の端面４６が折罫線４８で区切られて設けられている。端面４６の折罫線４８と反対側の端部には、さらにフラップ５０が折罫線５２で区切られて設けられている。側面１８の、折罫線４８と反対側の端部には、矩形の端面５４が折罫線５６で区切られて設けられている。端面５４の折罫線５６と反対側の端部には、さらにフラップ５８が折罫線６０で区切られて設けられている。
【００１３】
側面１８には、廃棄用切込線４２が設けられている。廃棄用切込線４２は、折罫線２８と折罫線３０との中心を通過し折罫線２８と折罫線３０との中心線に対して僅かに傾斜する直線状の中線部４２ａが設けられ、中線部４２ａの傾斜する方向は、中線部４２ａの折罫線４８側の端部が折罫線２８に近づき、中線部４２ａの折罫線５６側に位置する端部が折罫線３０に近づくものである。
【００１４】
中線部４２ａの折罫線４８側に位置する端部には、短支線部４２ｂと長支線部４２ｃが二股状に連続して設けられている。短支線部４２ｂは折罫線２８と折罫線４８の間の角部１８ａに向かって延出する直線であり、長支線部４２ｃは、折罫線３０と折罫線４８の間の角部１８ｂに向かって延出する短支線部４２ｂより少し長い直線である。各短支線部４２ｂと各長支線部４２ｃは、各角部１８ａ，１８ｂの手前で止められ、各角部１８ａ，１８ｂとの間が切り残されている。短支線部４２ｂと中線部４２ａが交差する部分は、短支線部４２ｂの端部から中線部４２ａに対して直角に交差する方向に一度湾曲し、さらに中線部４２ａの延長線上に連続するように反対方向に再び湾曲するＳ字形の切断線で設けられている。長支線部４２ｃは、中線部４２ａに近い湾曲部分に直線で交差して連続している。中線部４２ａと長支線部４２ｃで挟まれた角部は、押し部４４となる。
【００１５】
中線部４２ａの折罫線５６側に位置する端部にも、短支線部４２ｂと長支線部４２ｃが二股状に連続して設けられている。中線部４２ａの折罫線５６側に位置する端部から連続する短支線部４２ｂは、折罫線３０と折罫線５６の間の角部１８ｃに向かって延出し、長支線部４２ｃは折罫線２８と折罫線５６の間の角部１８ｄに向かって延出している。つまり一対の短支線部４２ｂどうし、または一対の長支線部４２ｃどうしは、側面１８の中心を基準とする点対象の形状となり、互いに側面１８の対角線上に位置している。中線部４２ａの折罫線５６側に位置する端部にも、短支線部４２ｂと中線部４２ａが交差する部分はＳ字形の切断線で設けられ、中線部４２ａと長支線部４２ｃで挟まれた角部は、押し部４４となる。
【００１６】
側面２０の、側面１８の折罫線４８に隣接する端部には、易廃棄機能付包装用箱１０の組立状態で端面４６の裏面に糊付けされる矩形の糊付片６２が折罫線６４で区切られて設けられている。側面２０の、折罫線６４と反対側の端部には、易廃棄機能付包装用箱１０の組立状態で端面５４の裏面に糊付けされる矩形の糊付片６６が折罫線６８で区切られて設けられている。
【００１７】
次に、この実施形態の易廃棄機能付包装用箱１０の組立方法の一例について説明する。なお、ここでは図３が易廃棄機能付包装用箱１０の箱体形成片１２の表面を見たものであり、箱体形成片１２の表面が凸になる折り方を正折り、そして裏面が凸になる折り方を逆折りと称する。
【００１８】
まず、糊付片３４，３８，６２，６６の表面に糊７０を塗布する。折罫線２８，３０を９０度に正折りして、側面１８に対して側面１６，２０をほぼ直角にする。折罫線３６，６４を９０度に正折りして、側面１６，２０に対して糊付片３４，６２をそれぞれ直角にする。折罫線４８を９０度に正折りして、側面１８に対して端面４６を直角にし、これにより端面４６の裏面が糊７０により糊付片３４，６２の表面に糊付けされ、一方の端部が形成される。次に、折罫線４０，６８を９０度に正折りして、側面１６，２０に対して糊付片３８，６６をそれぞれ直角にする。折罫線５６を９０度に正折りして、側面１８に対して端面５４を直角にし、これにより端面５４の裏面が糊７０により糊付片３８，６６の表面に糊付けされ、他方の端部が形成され矩形の箱体となる。
【００１９】
この状態で商品を中に入れる。そして、折罫線５２，６０を９０度に正折りして、端面４６，５４に対してフラップ５０，５８をそれぞれ９０度に正折りし、折罫線２６で側面１４を９０度に正折りし、糊付片２２の開封用切込線３２よりも先端側の部分の裏面に糊７２を塗布する。さらに、糊付片２２を折罫線２４で正折りし、糊付片２２を側面２０の表側面に重ねて、糊７２により開口部が封止される。組み立てられ封止された易廃棄機能付包装用箱１０は、側面１８が下に位置する底面となり、側面１４が上に位置する天面となる。なお、箱体形成片１２を組み立てる順番はこれ以外でも良く、適宜変更可能である。
【００２０】
次に、この実施形態の易廃棄機能付包装用箱１０の使用方法について説明する。まず、中の商品を取り出すときは、糊付片２２の一対の開封用切込線３２を切断して糊付片２２を分割して開封する。糊付片２２の糊付けが解除され、側面１４が開かれた開口部から商品を取り出した後、易廃棄機能付包装用箱１０を廃棄するときは、図１に示す押し部４４を、図２に示すように両手の指で押し込む。なおここでは中線部４２ａを水平方向に保持しているが、垂直方向に保持して両手の指で押し込んでも良い。押し部４４を押し込むと、まず押し部４４近傍の中線部４２ａと長支線部４２ｃの交点から切断が始まり、中線部４２ａと長支線部４２ｃが破れ、さらに押し部４４を押しながら互いに連接する側面１４，２０，端面４６，５４を畳むように外側から力を加えると、短支線部４２ｂに引張力が働いて切断され、側面１８が分割される。側面１８が分割されると、側面１４，１６，端面４６，５４の形状維持機能が解除され、ワンタッチで図４に示すような平坦な折り畳み状態となる。側面２０は、図４の図面上、右側に畳まれて端面５４に重ねられても良く、左側に畳まれて端面４６に重ねられてもよい。短支線部４２ｂ、長支線部４２ｃは、側面１８の角部１８ａ，１８ｂ，１８ｃ，１８ｄに達していないが、折り畳むときに力が加えられて容易に破断する。また、ワンタッチで折り畳むと図４のように分割した側面１８が側面１６，２０の間に折り畳まれるが、厚みを薄くするために外側に引き出してもよい。廃棄用切込線４２は、中線部４２ａと短支線部４２ｂ、長支線部４２ｃの交点がＳ字形の切断線で設けられているため、廃棄用切込線４２を切断して側面１８を６個の角部に分割したとき、角部が曲線で形成される。
【００２１】
この実施形態の易廃棄機能付包装用箱１０によれば、使用後は簡単な操作で折り畳んでコンパクトにして廃棄処分や資源回収をすることができる。破棄するときは、押し部４４を指で押すだけの簡単な操作により側面１６を廃棄用切込線４２で切断して形状維持機能が解除され、押し部４４を押しながら箱体を畳むことによりワンタッチで平坦に折り畳むことができる。廃棄用切込線４２の中線部４２ａは、側面１６の中心を通過して折罫線２８，３０の間の中心線に対して傾斜しているため、押し部４４を側面１６の中心線上に設けることができ、弱い力でも押し部４４を効率良く押圧して確実に廃棄用切込線４２を切断することができる。短支線部４２ｂと長支線部４２ｃは、側面１８の角部１８ａ，１８ｂ，１８ｃ，１８ｄに達していないため、組立状態で商品の運搬や陳列を行う際は箱体の強度を維持することができる。側面１８は底面となるため、店頭に陳列する際は廃棄用切込線４２が見えず、外観が良好である。廃棄用切込線４２は、中線部４２ａと短支線部４２ｂ、長支線部４２ｃの交点がＳ字形の切断線で設けられているため、廃棄用切込線４２を切断して側面１８を６個の角部に分割したとき、角部が曲線で形成され、角部で手を怪我することがなく安全である。廃棄用切込線４２はあきピッチを調整し、廃棄用切込線４２を切断した跡で怪我をしないようにしている。易廃棄機能付包装用箱１０は組立工程が簡単であるため、自動包装装置に対応することができ、生産効率が良い。
【００２２】
なお、この発明は上記実施形態に限定されるものではなく、箱体形成片の側面や端面の配置や連接する順番は自由に変更可能である。廃棄用切込線は、底面以外の側面等に設けられても良い。
【図面の簡単な説明】
【００２３】
【図１】この発明の一実施形態の易廃棄機能付包装用箱の斜視図である。
【図２】この実施形態の易廃棄機能付包装用箱の破棄する動作を示す斜視図である。
【図３】この実施形態の易廃棄機能付包装用箱の展開図である。
【図４】この実施形態の易廃棄機能付包装用箱の破棄する状態を示す正面図である。
【符号の説明】
【００２４】
１０  易廃棄機能付包装用箱
１２  箱体形成片
１４，１６，１８，２０  側面
２２  糊付片
４２  廃棄用切込線
４２ａ  中線部
４２ｂ  短支線部
４２ｃ  長支線部
４４  押し部
【図１】
2010030614.tif 000003
【図２】
2010030614.tif 000004
【図３】
2010030614.tif 000005
【図４】
2010030614.tif 000006